(57)【要約】      （修正有）【課題】前後のアーチでクリートを挟み込んで固定するようにした自転車用ペダルにおいて、アーチを容易に交換することができるアーチの取付構造を得る。【解決手段】ペダルボディの片面に、固定アーチと、前後方向に揺動可能でかつ前記固定アーチ方向に付勢された可動アーチとを立設し、前記固定アーチは、クリートに係止すべくペダル軸と平行とした係止部５ａと、係止部の両端に連設され前記係止部を所定の高さに保持する脚部５ｂと、脚部の下端に連設された前記係止部と平行な取付部５ｃとを備え、この取付部にはネジ５ｄを設ける。そして、前記ペダルボディの側壁内側に前記脚部が装着される縦溝７を設け、この縦溝の下端部に前記固定アーチの取付部５ｃが装着される横溝８を連設し、この横溝をペダルボディの側壁外面に貫通させる。前記横溝８にネジ９を挿通して取付部のネジと螺合することにより固定アーチを固定する。【選択図】図２
2013001339.tif 000002
【特許請求の範囲】
【請求項１】
ペダルボディの片面に、固定アーチと、前後方向に揺動可能でかつ前記固定アーチ方向に付勢された可動アーチとを立設し、前記固定アーチと可動アーチとで靴底に固定されたクリートを前後から挟み込んで固定するようにした自転車用ペダルにおいて、
前記固定アーチは、クリートに係止すべくペダル軸と平行とした係止部と、係止部の両端に連設され前記係止部を所定の高さに保持する脚部と、脚部の下端に連設された前記係止部と平行な取付部とを備え、この取付部にはネジが設けられ、
前記ペダルボディの側壁内側に前記脚部が装着される縦溝が設けられ、
この溝の下端部には前記固定アーチの取付部が装着される横溝が連設され、
前記横溝はペダルボディの側壁外面に貫通し、
前記横溝にネジを挿通して取付部のネジと螺合することにより固定アーチを固定した、
自転車用ペダル
【請求項２】
可動アーチは、クリートに係止すべくペダル軸と平行とした係止部の両端に前記係止部を所定の高さに保持する脚部を下向きに連接し、脚部の下端にコイル状のバネ部を連設して構成し、
前記バネ部に、ペダルボディにペダル軸と平行に、かつ着脱可能に取り付けられたバネ軸を挿通して固定した、
請求項１記載の自転車用ペダル
【請求項３】
ペダルボディは、固定アーチ及び可動アーチが設けられていない面も、踏面とした、請求項１又は２に記載の自転車用ペダル
【発明の詳細な説明】
【技術分野】
【０００１】
この発明は、ペダルボディの片面に、固定アーチと可動アーチとを立設し、前記固定アーチと可動アーチとで靴底に固定されたクリートを前後から挟み込んで固定するようにした自転車用ペダルに関するものである。
【背景技術】
【０００２】
固定アーチと可動アーチとで靴底に取り付けたクリートを挟み込んで固定するようにした自転車用ペダルとしては、特許第３１５１６２２号及び特許第３３４２７４３号の発明がある。
【特許文献１】特許第３１５１６２２号公報
【特許文献２】特許第３３４２７４３号公報  これら特許発明は同一人の発明に係り、前後のアーチでクリートを挟み込む構成の自転車用ペダルの代表的なものであるが、固定アーチの取付構造に難があった。
【０００３】
固定アーチの取付構造に関し、特許文献１においては「アーム１８の端部は本体２に固定してある。」（段落００３７）と説明され、特許文献２においても「直立部９および１０は、ペダル１の本体内に固定されている。」（段落００３２）と説明されているのみで、具体的な取付構造は示されていない。
そして、実施品を確認すると、アームないしは直立部は、ペダル本体を上下に貫通する孔に差し込まれ、裏面側からカシメ止めされている。
また、可動アーチを交換可能としたものは存在するが、アーチとバネが別体となっており、構造が複雑である。
【発明の概要】
【発明が解決しようとする課題】
【０００４】
アーチは使用により摩耗するので交換する必要がある。しかしながら、従来のカシメ止めによる固定ではアーチをペダル本体から取り外すことが困難であり、またユーザーがカシメ止めを行うことも難しく、アーチの交換が困難である。
この発明は、アーチを容易に交換することができるアーチの取付構造を得ることを課題とするものである。
【課題を解決するための手段】
【０００５】
この発明は、ペダルボディの片面に、固定アーチと、前後方向に揺動可能でかつ前記固定アーチ方向に付勢された可動アーチとを立設し、前記固定アーチと可動アーチとで靴底に固定されたクリートを前後から挟み込んで固定するようにした自転車用ペダルにおいて、固定アーチの取付を以下のような構成とすることにより、上記課題を解決するものである。
【０００６】
すなわち、前記固定アーチは、クリートに係止すべくペダル軸と平行とした係止部と、係止部の両端に連設され前記係止部を所定の高さに保持する脚部と、脚部の下端に連設された前記係止部と平行な取付部とを備え、この取付部にはネジを設ける。そして、前記ペダルボディの側壁内側に前記脚部が装着される縦溝を設け、この縦溝の下端部に前記固定アーチの取付部が装着される横溝を連設し、この横溝をペダルボディの側壁外面に貫通させる。前記横溝にネジを挿通して取付部のネジと螺合することにより固定アーチを固定する。
【０００７】
前記横溝の下方を開放することにより、固定アーチをペダル本体の下方から溝に無理なく装着することができるが、固定アーチの取付部を弾性変形させて装着するようにしてもよい。
【０００８】
可動アーチを以下の構成とすることにより、簡易な構造で可動アーチを交換可能とすることができる（請求項２）。
クリートに係止すべくペダル軸と平行とした係止部の両端に前記係止部を所定の高さに保持する脚部を下向きに連接し、脚部の下端にコイル状のバネ部を連設して可動アーチを構成し、前記バネ部に、ペダルボディにペダル軸と平行に、かつ着脱可能に取り付けられたバネ軸を挿通して固定する。
ペダルボディは、固定アーチ及び可動アーチが設けられていない面も踏面とすることができる（請求項３）。
【発明の効果】
【０００９】
この発明によれば、固定アーチはネジによってペダルボディに固定されるので、特殊な器具を用いることなく、ドライバーやレンチによって固定アーチを着脱することができ、交換が容易である。また、ペダルボディの反対側の面にカシメなどの固定部が露出することがなく、反対面を踏面として利用することにも適している。
【図面の簡単な説明】
【００１０】
【図１】この発明実施形態の断面図
【図２】同じく可動アーチを省略した分解斜視図
【図３】同じくペダルボディの固定アーチ取付部を示す断面斜視図
【図４】同じく固定アーチを取り付けた状態の断面斜視図
【図５】同じくクリートを固定した状態の斜視図
【図６】同じく可動アーチの取付部を示す断面斜視図
【図７】同じく可動アーチの分解斜視図
【発明を実施するための形態】
【００１１】
ペダルボディＡは、ペダル軸装着部１を支持する一対の壁部２の前後にそれぞれ平面視Ｕ字状の枠部３，３ａを連設して構成してある。前記枠部３，３ａは、下面（図中）が前後に亘り同一平面とし、滑り止めの突起４を設けて、靴の固定装置のない踏面としてある。
前記ペダルボディＡのペダル軸装着部１よりも前方（図中右側）には固定アーチ５が取り付けてあり、後方には可動アーチ６が取り付けてある。
【００１２】
前記固定アーチ５はワイヤ製であって、クリートＢに係止すべくペダル軸と平行とした係止部５ａの両端に前記係止部５ａを所定の高さに保持する脚部５ｂを下向きに連接し、脚部５ｂの下端に前記係止部と平行な取付部５ｃを連設して構成してあり、前記取付部５ｃの外周にはネジ５ｄを設けてある。
【００１３】
前記ペダルボディＡの壁部２の前方の内側に、前記脚部５ｃが装着される縦溝７が上下方向に設けてある。この縦溝７の下端部には前記固定アーチ５の取付部５ｃが装着される横溝８が連設してあり、この横溝８は前記壁部２の外面に貫通している。そして、横溝８の縦溝側は小径、壁部の外面側は大径であって、中間にストッパー段部８ａが形成してある。
前記固定アーチ５は、その脚部５ｂを前記縦溝７にはめ込み、取付部５ｃを横溝８にはめ込んだ状態で、前記横溝８に袋ネジ９を挿通して取付部５ｃのネジ５ｄと螺合し、袋ネジ９の端面を前記ストッパー段部８ａに圧接させることによりペダルボディＡに固定してある。
【００１４】
前記横溝８の縦溝側（固定アーチ５の取付部５ｃが装着される部分）は下方が開放してあり、固定アーチ５をペダルボディＡの下側から上に向けて差し込むことにより、脚部５ｂは縦溝７に嵌り、取付部５ｃは横溝８に嵌る。次いでネジ９を締め付けることにより、固定アーチ５はペダルボディＡに固定される。
【００１５】
前記可動アーチ６の構成は以下の通りである。
前記ペダルボディＡの壁部２の後方に、一対の軸受け１１、１１ａが設けてあり、軸受け間にバネ軸１２が取り付けてある。このバネ軸１２は基端部にネジ１２ａが形成してあり、このネジ１２ａを前記一方の軸受け１１に形成されたネジに螺合して固定してある。このバネ軸１２の中央部上側はペダル軸装着部１から延びる受け壁１４で受け止められている。
【００１６】
前記可動アーチ６は、ワイヤ製であって、クリートＢに係止すべくペダル軸と平行とした係止部６ａの両端に前記係止部６ａを所定の高さに保持する脚部６ｂを下向きに連接し、脚部６ｂの下端にバネ部６ｃを連設して構成してある。前記バネ部６ｃはワイヤを巻回してコイル状に形成し、前記バネ軸１２の前記受け壁１４の両側にそれぞれ装着してある。そして、前記バネ部６ｃの先端はペダルボディＡの後部に設けられたバネ受け１５の底壁１５ａに係止している。
【００１７】
前記バネ受け１５は前記バネ軸１２側が開口した箱状であって、その底板１５ａは上下に移動可能としてあり、バネ受け１５の上壁から挿入された調整ボルト１５ｂによって高さを調整できるようにしてある。すなわち、調整ボルト５ｂを操作して底板１５ａの高さを調節することにより、可動アーチ６のバネ力を調整することができる。
【００１８】
以上のように構成された自転車用ペダルと組み合わせて使用するクリートＢは、板状であって、前方縁と後方縁の各上側に前記固定アーチ５又は可動アーチ６に係止する係止溝２１，２２が設けてあり、後部底面は下に凸の曲面としてある。
靴を固定するときには、クリートＢの前方縁の係止溝２１を固定アーチ５に係止し、次いで靴の後ろ側に力を入れてクリートＢを押し下げる。このとき可動アーチ６は後方に揺動し、クリートＢの後方縁が可動アーチを通過すると可動アーチ６はバネ力によって原位置に復帰して、係止溝２２が可動アーチ６に係止する。これによって、クリートＢの前後は二つのアーチ５，６によって挟み込まれ、靴はペダルに固定される。
固定を解除するときは、脚を横方向に回転させて、クリートＢと二つのアーチ５，６との係止を解除する。
【００１９】
使用を継続することにより、固定アーチ５が摩耗したときには、袋ネジ９を外し、固定アーチ５を下方へ引き出すことにより、固定アーチ５は容易に取り外すことができる。そして、新しい固定アーチ５をペダルボディＡに下からはめ込み、袋ネジ９で締め付ける。このように、固定アーチ５を容易に交換することができる。
【００２０】
可動アーチ６の交換は以下の手順で行う。前記調整ボルト１５ｂを操作してバネ受け１５の底板１５ａを下降させて取り外す。これによってバネ部６ｃの張力が抜けてバネ軸１２を回転することが可能となる。そこで、バネ軸１２を回転してバネ軸１２を軸受け１１，１１ａから抜き取る。この操作により可動アーチ６を取り外すことができる。新しい可動アーチ６の取付は前記と逆の手順で行う。
【産業上の利用可能性】
【００２１】
この発明によれば、従来交換することが困難であった固定アーチの交換が可能となり、消耗部品を交換しつつペダルを長期間使用することができるものであって、産業上利用可能性を有するものである。
【符号の説明】
【００２２】
Ａ ペダルボディ
Ｂ クリート
１ ペダル軸装着部
２ 壁部
３，３ａ 枠部
５ 固定アーチ
５ａ 係止部
５ｂ 脚部
５ｃ 取付部
５ｄ ネジ
６ 可動アーチ
６ｃ バネ部
７ 縦溝
８ 横溝
９ 袋ネジ
１１，１１ａ 軸受け
１２ バネ軸
１２ａ ネジ
１５ バネ受け
１５ａ 底板
【図２】
2013001339.tif 000003
【図３】
2013001339.tif 000004
【図４】
2013001339.tif 000005
【図５】
2013001339.tif 000006
【図６】
2013001339.tif 000007
【図７】
2013001339.tif 000008
【図１】
2013001339.tif 000009